(57)【要約】【課題】エレベーターのドアレール清掃装置において、ドアレール上に短期間で固まりやすい火山灰などの異物がある場合でも、その異物を効率よく取り除くことである。【解決手段】ドアレール清掃装置１０は、ドアの上方に配置されたドアレール１２と、ドアの上端部に固定されたドアハンガー３０に取り付けられて、ドアの開閉に連動してドアレール１２の上面を移動して清掃する清掃部材１３ａとを含む。ドアレール１２は、長手方向に分離された複数のドアレール要素１２ａ、１２ｂにより形成され、隣り合うドアレール要素の間に隙間Ｇが形成され、清掃部材１３ａは、ドアレール上を移動するときに異物６０を押し出して隙間Ｇに落とすことで異物を除去する。【選択図】図２
2018027840.tif 000002
【特許請求の範囲】
【請求項１】
ドアの上方に配置されたドアレールと、
前記ドアの上端部に固定されたドアハンガーに取り付けられて、前記ドアの開閉に連動して前記ドアレールの上面を移動して清掃する清掃部材とを備え、
前記ドアレールは、長手方向に分離された複数のドアレール要素により形成され、
隣り合う前記ドアレール要素の間に隙間が形成され、
前記清掃部材は、前記ドアレール上を移動するときに異物を押し出して前記隙間に落とすことで前記異物を除去する、エレベーターのドアレール清掃装置。
【請求項２】
請求項１に記載のエレベーターのドアレール清掃装置において、
前記隙間において前記ドアレールの長手方向についての幅は、前記ドアレールの下端部で上端部より大きくなっている、エレベーターのドアレール清掃装置。
【請求項３】
請求項１に記載のエレベーターのドアレール清掃装置において、
隣り合う前記ドアレール要素のうち、前記隙間に近づくように前記清掃部材が移動したときに前記清掃部材と離れている一方の前記ドアレール要素の前記隙間側の上端は、前記清掃部材が接近する他方の前記ドアレール要素の前記隙間側の上端より高くなっている、エレベーターのドアレール清掃装置。
【請求項４】
請求項１に記載のエレベーターのドアレール清掃装置において、
請求項１から請求項３のいずれか１に記載のエレベーターのドアレール清掃装置において、
前記異物は火山灰である、エレベーターのドアレール清掃装置。
【発明の詳細な説明】
【技術分野】
【０００１】
本発明は、ドアの上方に配置されたドアレールと、ドアの開閉に連動してドアレールの上面を移動して清掃する清掃部材とを備える、エレベーターのドアレール清掃装置に関する。
【背景技術】
【０００２】
エレベーターのドアレールの上面に塵芥または塵芥集積物等の異物があると、ドアレールの上面に対し、ドアハンガーに取り付けたローラの移動が円滑に行われず、ドアの開閉が困難になるおそれがある。特許文献１−３には、エレベーターのドアハンガーに清掃部材を取り付けて、清掃部材によってドアレールの上面を清掃するドアレール清掃装置が記載されている。特許文献１に記載された構成では、清掃部材が、弾力性のあるフェルト上の材料から形成されている。特許文献２に記載された構成では、清掃部材が、油が含浸された清掃給油部材を含んでいる。特許文献３に記載された構成では、清掃部材は、植毛台に植毛した毛束を含んでいる。
【先行技術文献】
【特許文献】
【０００３】
【特許文献１】特開２００６−３３５４９６号公報
【特許文献２】特開２０１３−２３７５４３号公報
【特許文献３】特開２０１４−１９５１８号公報
【発明の概要】
【発明が解決しようとする課題】
【０００４】
特許文献１−３に記載された構成では、ドアハンガーに取り付けた清掃部材が、ドアレールの上面に接触し、ドアレール上の異物を押し出すことにより、ローラの移動範囲から異物を除去する。しかしながら異物を押し出すだけでは、異物が集積されて押しきれずハンガーレールと、ハンガーレールが固定されるドアとの移動が制限される可能性がある。特に、異物が火山灰である場合には、放置した場合に火山灰が周囲から水分、油を短期間で取り込むので、火山灰の粘り気が強くなって固まってしまう。これにより、異物がより短期間に集積された状態で固まって、ドアの移動が制限され、開閉不良の原因となる可能性がある。この場合、固まった異物は、エレベーターの点検、修理を行う作業者が手作業で道具を用いて削って除去する必要がある。このような問題は、特に周辺に火山がある地域で生じやすい。また、火山灰は乾燥状態で浮遊して、建物の中に入り込みやすく、ドアレール上に積もりやすい。
【０００５】
本発明に係るエレベーターのドアレール清掃装置の目的は、ドアレール上に短期間で固まりやすい火山灰などの異物がある場合でも、その異物を効率よく取り除くことができる構造を提供することである。
【課題を解決するための手段】
【０００６】
本発明に係るエレベーターのドアレール清掃装置は、ドアの上方に配置されたドアレールと、前記ドアの上端部に固定されたドアハンガーに取り付けられて、前記ドアの開閉に連動して前記ドアレールの上面を移動して清掃する清掃部材とを備える。前記ドアレールは、長手方向に分離された複数のドアレール要素により形成され、隣り合う前記ドアレール要素の間に隙間が形成され、前記清掃部材は、前記ドアレール上を移動するときに異物を押し出して前記隙間に落とすことで前記異物を除去する。
【発明の効果】
【０００７】
本発明に係るエレベーターのドアレール清掃装置によれば、ドアレールが分離された複数のドアレール要素により形成され、清掃部材は、ドアレール上を移動するときに異物を押し出してドアレール要素間の隙間に落とすことで異物を除去する。これにより、異物を集積しにくくできるので、ドアレール上に短期間で固まりやすい火山灰などの異物がある場合でも、その異物を効率よく取り除くことができる。
【図面の簡単な説明】
【０００８】
【図１】実施形態のドアレール清掃装置が取り付けられたエレベーターの乗場ドアの上側部分を示す図である。
【図２】図１において、２つのドアの一方のドアが左側から閉鎖する方向である右側に移動する場合におけるＡ部拡大相当図である。
【図３】図２のＢ−Ｂ断面図である。
【図４】各ドアが閉鎖方向に移動しきった場合におけるＡ部拡大断面図である。
【図５】図１において、各ドアが開放方向に移動する場合におけるＣ部拡大相当図である。
【図６】実施形態の別例のドアレール清掃装置を示している図２に対応する図である。
【発明を実施するための形態】
【０００９】
以下、図面を用いて本発明の実施形態を説明する。以下で説明する形状、材質及び個数は、説明のための例示であって、ドアレール清掃装置またはエレベーターの仕様に応じて適宜変更することができる。以下において複数の実施形態や、変形例などが含まれる場合、それらを適宜組み合わせて実施することができる。以下ではすべての図面において同等の要素には同一の符号を付して説明する。また、本文中の説明においては、必要に応じてそれ以前に述べた符号を用いるものとする。
【００１０】
図１は、実施形態のドアレール清掃装置１０が取り付けられたエレベーターの乗場ドアの上側部分を示す図である。乗場ドア５０は、中央から両側に開くように２つのドア５１，５２が移動する両開き型である。各ドア５１，５２は、上側のドアレール１２と下側の敷居（図示せず）とによって移動が案内される。各ドア５１，５２の上方にはドアレール１２が配置され、ドア５１，５２の上端部にはそれぞれドアハンガー３０，３１が固定される。ドアレール１２は、後述のドアレール清掃装置１０を形成する。また、各ドア５１，５２は、ドアハンガー３０，３１によってドアレール１２に対し吊り下げ支持される。具体的には、ドアレール１２が、昇降路の壁などの固定部５３に固定される。ドアレール１２は、乗場出入り口の上側において、その間口方向に沿って水平に配置される。後述の図３に示すように、ドアレール１２の長手方向に対し直交する平面についての断面形状は、上端部及び下端部が凸状の曲面である長円形である。
【００１１】
ドアハンガー３０，３１には、ドア５１，５２の移動方向と平行な方向である、ドア５１，５２の幅方向（図１の左右方向）の両端寄り部分に２つのローラ３２が回転可能に支持されるように取り付けられる。各ローラ３２は、ドアレール１２上を長手方向（図１の左右方向）に沿って転動する。これにより各ドア５１，５２は、幅方向に移動して乗場出入り口を開閉する。
【００１２】
固定部５３に固定された電動モータ（図示せず）の動力が駆動ベルト（図示せず）に伝達され、その駆動ベルトの動力が連結具（図示せず）を介してドアハンガー３０，３１に伝達される。２つのドア５１，５２のうち、一方（図１の左側）のドア５１に連結された連結具がドア５１の幅方向において一方側に移動するとき、他方（図１の右側）のドア５２に連結された連結具はドア５２の幅方向において他方側に移動する。これにより、各ドア５１，５２は幅方向において逆方向に移動するように駆動される。
【００１３】
ドアレール清掃装置１０は、ドアレール１２と、各ドア５１，５２に対応して２つずつ、合計４つが配置された清掃部材１３ａ，１３ｂ，１３ｃ，１３ｄとを備える。具体的には、各ドア５１，５２の幅方向両端部において、対応する側のローラ３２よりドア５１，５２の幅方向外側に清掃部材１３ａ，１３ｂ，１３ｃ，１３ｄがそれぞれ取り付けられる。そして、以下で詳しく説明するように、各清掃部材１３ａ，１３ｂ，１３ｃ，１３ｄは、ドア５１，５２の開閉に連動してドアレール１２の上面を移動して清掃する。以下では、清掃部材１３ａ，１３ｂ，１３ｃ，１３ｄを総称して清掃部材１３と記載する場合がある。
【００１４】
以下では、２つのドア５１，５２のうち、一方のドア５１について、ドアハンガー３０の長手方向一端部（図１の右端部）に取り付けられた清掃部材１３ａを基本的に説明する。
【００１５】
図２は、図１において、２つのドアの一方のドア５１が左側から閉鎖する方向である右側に移動する場合におけるＡ部拡大相当図である。図３は、図２のＢ−Ｂ断面図である。図４は、各ドア５１，５２が閉鎖方向に移動しきった場合におけるＡ部拡大断面図である。
【００１６】
清掃部材１３ａは、ハンガー固定部材１４と、清掃部材本体である清掃給油部材１６とを含んで構成される。ハンガー固定部材１４は、平板状であり、長手方向一端側（図２、図４の左側）の長手方向に離れた２つの位置に下側に開口する切欠１４ａが形成される。そして、図２に示すように、ドアハンガー３０の長手方向一端部（図２の右端部）において、厚み方向外側（図２の紙面の表側）に、切欠１４ａを通じて挿入されたボルト等の締結部材１５によって、ハンガー固定部材１４が固定される。
【００１７】
清掃給油部材１６は、ハンガー固定部材１４の長手方向他端側（図２、図４の右側）でドアハンガー３０の先端から長手方向に突出する部分に固定される。清掃給油部材１６は、油が含浸されたフェルト等の不織布、または発泡ポリウレタン等の発泡樹脂により直方体状に形成される。清掃給油部材１６は、ハンガー固定部材１４に対し、ボルト等の締結部材１７によって固定される。清掃給油部材１６がハンガー固定部材１４に固定された状態で、清掃給油部材１６において、ハンガー固定部材１４から厚み方向の内側（図２の紙面の裏側、図３の右側）に離れた部分の下端がドアレール１２上に位置する。清掃給油部材１６は、ドアレール１２の上面に接触した状態で、ドア５１，５２（図１）の開閉に連動してドアレール１２の上面を移動することでドアレール１２の上面を清掃し、かつドアレール１２の上面に給油する。例えば、ドアレール１２の上面に異物６０として、火山灰が付着した場合に、清掃給油部材１６は火山灰を移動方向（図２の矢印α方向）に押し出す。
【００１８】
上記では、図２〜図３を用いて、２つのドア５１，５２のうち、一方のドア５１に固定されたドアハンガー３０の長手方向一方側（図２の右側）に取り付けられた清掃部材１３ａを基本的に説明した。一方、４つの清掃部材１３ａ、１３ｂ、１３ｃ、１３ｄ（図１）のうち、残りの清掃部材１３ｂ、１３ｃ、１３ｄも、図２〜図３に示した清掃部材１３ａと同様に構成できる。このとき、各ドア５１，５２に固定されたドアハンガー３０，３１の長手方向他方側（図１の左側）に取り付けた清掃部材１３ｂ、１３ｃは、図２〜図３の清掃部材１３ａとドア５１，５２の幅方向について逆向きに取り付けられる。
【００１９】
さらに、ドアレール１２は、長手方向（図１、図２の左右方向）に分離された複数のドアレール要素１２ａ、１２ｂ、１２ｃを含んで形成される。各ドアレール要素１２ａ、１２ｂ、１２ｃは、固定部５３に形成されたねじ孔５３ａにボルト等の締結部材５４により締結される。これにより、各ドアレール要素１２ａ、１２ｂ、１２ｃは、固定部５３に固定される。この状態で、隣り合うドアレール要素１２ａ、１２ｂ、１２ｃの間には、隙間Ｇが形成される。隙間Ｇは、後述するように異物６０（図２）を落として除去するために用いられる。このとき、図１、図４に示すように、各ドア５１，５２が閉鎖方向に移動しきった状態で、ドアレール１２において２つのドアハンガー３０，３１の間に配置される２つの清掃部材１３ａ、１３ｃの清掃給油部材１６が面する部分に、それぞれ隙間Ｇが形成される。
【００２０】
図５は、図１において、各ドア５１，５２（図１）が開放方向（図５の矢印β方向）に移動する場合におけるＣ部拡大相当図である。図５に示すように、各ドア５１，５２が開放方向に移動しきった状態で、ドアレール１２において２つのドアハンガー３０，３１の外側（図５の左側）にも、別のドアレール要素１２ｄが配置される。そして、ドアレール要素１２ａ、１２ｃ（図１）と、別のドアレール要素１２ｄとの間に隙間Ｇが形成される。その隙間Ｇには、２つのドアハンガー３０，３１の外側に配置される２つの清掃部材１３ｂ、１３ｄ（図１）の清掃給油部材１６が面する。別のドアレール要素１２ｄもドアレール１２を形成する。図５では、２つのドア５１，５２のうち、一方のドア５１について、ドアハンガー３０の長手方向他端部（図５の左端部）に取り付けた清掃部材１３ｂが近づく別のドアレール要素１２ｄを示している。各ドアハンガー３０，３１に取り付けたローラ３２は、ドア５１，５２が開閉するときの移動時に隙間Ｇに面することはない。これにより、隙間Ｇがローラ３２の移動を妨げることはない。
【００２１】
各清掃部材１３は、ドアレール１２上を移動するときに塵芥または塵芥集積物である異物６０を押し出して、図４、図５に矢印γ方向で示すように隙間Ｇに落とすことで異物６０を除去する。
【００２２】
上記のドアレール清掃装置１０によれば、ドアレール１２が複数のドアレール要素１２ａ、１２ｂ、１２ｃ、１２ｄにより形成され、清掃部材１３は、ドアレール１２上を移動するときに異物６０を押し出してドアレール要素間の隙間Ｇに落とす。これにより、異物が除去される。このため、異物６０を集積しにくくできるので、ドアレール１２上に短期間で固まりやすい火山灰などの異物がある場合でも、その異物を効率よく取り除くことができる。さらに、清掃給油部材１６によってドアレール１２の上面に効率よく給油できる。
【００２３】
図６は、実施形態の別例のドアレール清掃装置１０を示している図２に対応する図である。図６に示す構成では、ドアレール１２の各隙間Ｇにおいてドアレール１２の長手方向についての幅ｄ１、ｄ２が、ドアレール１２の下端部の幅ｄ１で上端部の幅ｄ２より大きくなっている。さらに、隣り合うドアレール要素１２ａ、１２ｂのうち、隙間Ｇに近づくように清掃部材１３ａが移動したときに清掃部材１３ａは一方のドアレール要素１２ｂから離れており、清掃部材１３ａは他方のドアレール要素１２ａに接近し、接触する。このとき、一方のドアレール要素１２ｂの隙間Ｇ側の上端Ｔ１は、他方のドアレール要素１２ａの隙間Ｇ側の上端Ｔ２より高くなっている。
【００２４】
具体的には、一方のドアレール要素１２ｂの隙間Ｇ側端部の上面には、隙間Ｇに近づくのに従って上側に傾斜した傾斜面１８が形成される。これにより、一方のドアレール要素１２ｂの上端Ｔ１が、他方のドアレール要素１２ａの上端Ｔ２より高くなる。
【００２５】
上記構成によれば、清掃部材１３ａが異物６０を押し出して隙間Ｇに落とすときに、一方のドアレール要素１２ｂの高い端部によって、より効率的に落とすことができる。これにより、一方のドアレール要素１２ｂ側に異物６０が移動して、その異物が舞い戻って他方のドアレール要素１２ａに再付着することを防止できる。また、ドアレール１２の各隙間Ｇにおいてドアレールの長手方向についての幅が、ドアレールの下端部で上端部より大きくなっている。これにより、ドア５１，５２の開閉移動時に清掃部材１３ａにおいて、清掃給油部材１６の下端面の全体が隙間Ｇの上端開口に面するように、隙間Ｇの端から内側に突き出ることを抑制できる。このため、清掃給油部材１６が逆方向に戻るときにドアレール要素１２ａの先端に引っかかること効率よく防止でき、かつ、隙間Ｇの下端を広くすることにより隙間からの異物の舞い戻りを抑制できる。その他の構成及び作用は、図１から図５の構成と同様である。なお、図６では、１つの清掃部材１３ａが面する隙間Ｇを示しているが、残りの清掃部材１３ｂ、１３ｃ、１３ｄ（図１）が面する隙間も同様に形成できる。
【００２６】
また、ドアハンガー３０，３１に取り付ける清掃部材は、上記の各例のような清掃給油部材１６に限定するものではなく、清掃給油部材の代わりに、または清掃給油部材とともに、ドアハンガーに、清掃部材として毛束を有するブラシを取り付けてもよい。ブラシは、ドアレール１２の上面に接触した状態で、ドアの開閉に連動してドアレールの上面を移動することで異物を除去する。
【００２７】
上記の各例では、乗場のドア開閉機構における清掃装置について説明したが、乗りかごのドア開閉機構についても同様の構成を採用することができる。また、上記では、両開き型のドア開閉機構における清掃装置について説明したが、片開き型のドア開閉機構についても同様の構成を採用することができる。また、１枚のみ、または３枚以上のドアを有するドア開閉機構についても同様の構成を採用できる。またドアレールの長手方向に対し直交する平面についての断面形状は長円形に限定するものではなく、台形、矩形等としてもよい。
【符号の説明】
【００２８】
１０  ドアレール清掃装置、１２  ドアレール、１２ａ、１２ｂ、１２ｃ、１２ｄ  ドアレール要素、１３ａ、１３ｂ、１３ｃ、１３ｄ  清掃部材、１４  ハンガー固定部材、１４ａ  切欠、１５  締結部材、１６  清掃給油部材、１７  締結部材、１８  傾斜面、３０，３１  ドアハンガー、３２  ローラ、５０  乗場ドア、５１，５２  ドア、５３  固定部、５３ａ  ねじ孔、５４  締結部材、６０  異物。
【図１】
2018027840.tif 000003
【図２】
2018027840.tif 000004
【図３】
2018027840.tif 000005
【図４】
2018027840.tif 000006
【図５】
2018027840.tif 000007
【図６】
2018027840.tif 000008